(57)【特許請求の範囲】
【請求項１】
投票を行うユーザーを画像情報に基づいて特定する投票ユーザー特定手段と、
前記ユーザーが投票対象を選択入力するための投票画面を投影面上に投影表示する、投影表示手段と、
前記投票画面を撮影した投票映像を取得する、投票映像取得手段と、
前記投票映像に基づいて前記投票画面に対して所定の入力動作が行われた否かを判定し、前記投票対象を特定する、投票対象特定手段と、
前記投票対象と前記ユーザーとを関連付けて、投票券の発行に使用される投票データとして記憶する、投票データ記憶手段と、を備えた公営競技投票システム。
【請求項２】
投票券の購入を行う前記ユーザーを特定する購入ユーザー特定手段と、
前記購入ユーザー特定手段によって特定された前記ユーザーの前記投票対象を、前記投票データに基づいて購入データとして取得する、購入データ取得手段と、
前記購入データに基づいて前記投票券を発行する、投票券発行手段と、をさらに備えた請求項１に記載の公営競技投票システム。
【請求項３】
前記投票ユーザー特定手段は、前記ユーザーが保有する板状部材の表面に印刷された識別情報に基づいて前記ユーザーを特定し、
前記投影表示手段は、前記板状部材の位置に基づいて前記投票画面を投影表示する位置を設定する、請求項１または２のいずれかに記載の公営競技投票システム。
【請求項４】
前記板状部材は前記ユーザーを認証する認証カードである、請求項３に記載の公営競技投票システム。
【請求項５】
前記投影表示手段は、前記板状部材に前記投票画面を投影表示する、請求項３に記載の公営競技投票システム。
【請求項６】
前記投票ユーザー特定手段は、予め登録された前記ユーザーの生体認証情報に基づいて前記ユーザーを特定し、
前記投影表示手段は、撮影された前記ユーザーの動作に基づいて、前記投票画面を投影表示する位置を設定する、請求項１または２のいずれかに記載の公営競技投票システム。
【請求項７】
前記投影表示手段は、複数のプロジェクタを用いて前記投票画面を投影表示し、
前記投票映像取得手段は、複数のカメラを用いて撮影された前記投票画面に基づいて前記投票映像を取得する、請求項１から６のいずれか１項に記載の公営競技投票システム。
【請求項８】
前記投影表示手段は、センサを用いて取得された前記投影面までの距離、又は前記投票画面を撮影した撮影画像に基づいて、前記投票画面の焦点を調整する、請求項１から７のいずれか１項に記載の公営競技投票システム。
【請求項９】
コンピュータが、
投票を行うユーザーを画像情報に基づいて特定する投票ユーザー特定ステップと、
前記ユーザーが投票対象を選択入力するための投票画面を投影面上に投影表示する、投影表示ステップと、
前記投票画面を撮影した投票映像を取得する、投票映像取得ステップと、
前記投票映像に基づいて、前記投票画面に対して所定の入力動作が行われた否かを判定し、前記投票対象を特定する、投票対象特定ステップと、
前記投票対象と前記ユーザーとを関連付けて、投票券の発行に使用される投票データとして記憶する、投票データ記憶ステップと、を備えた公営競技投票方法。
【請求項１０】
投票を行うユーザーを画像情報に基づいて特定する投票ユーザー特定ステップと、
前記ユーザーが投票対象を選択入力するための投票画面を投影面上に投影表示する、投影表示ステップと、
前記投票画面を撮影した投票映像を取得する、投票映像取得ステップと、
前記投票映像に基づいて、前記投票画面に対して所定の入力動作が行われた否かを判定し、前記投票対象を特定する、投票対象特定ステップと、
前記投票対象と前記ユーザーとを関連付けて、投票券の発行に使用される投票データとして記憶する、投票データ記憶ステップと、をコンピュータに対して実行させる公営競技投票プログラム。
【発明の詳細な説明】
【技術分野】
【０００１】
本発明は、公営競技投票システム、公営競技投票方法、及び公営競技投票プログラムに関する。
【背景技術】
【０００２】
公営競技における投票券の購入は、マークカードに鉛筆等で投票対象を記入し、当該マークカードを券売機に投入することにより行われる。紙資源の消費を削減するため、携帯電話機等のユーザー端末を用いた投票方法が提案されている。
【０００３】
特許文献１は、競走馬、選手等の投票候補の画像を撮影し、撮影画像に基づいて当該投票候補に関する情報を取得することが可能なユーザー端末を開示している。ユーザーは、当該ユーザー端末を操作することにより、投票券の購入指示を投票処理装置に送信することが可能である。
【先行技術文献】
【特許文献】
【０００４】
【特許文献１】特開２０１５−１８４７２６号公報
【発明の概要】
【発明が解決しようとする課題】
【０００５】
上記の様に、特許文献１に開示された技術は、ユーザー端末を操作することによって投票券の購入指示を行うという技術である。したがって、ユーザー端末を使用しなければ、ユーザーから投票対象を取得することができないという問題があった。
【０００６】
本開示は上記課題を解決するためにされたものであって、投影画面に対する動作に基づいて投票対象を特定し、当該投票対象とユーザーとを関連付けて記憶することが可能な公営競技投票システム、公営競技投票方法、及び公営競技投票プログラムを提供することを目的とする。
【課題を解決するための手段】
【０００７】
本開示にかかる公営競技投票システムは、投票を行うユーザーを画像情報に基づいて特定する投票ユーザー特定手段と、前記ユーザーが投票対象を選択入力するための投票画面を投影面上に投影表示する、投影表示手段と、前記投票画面を撮影した投票映像を取得する、投票映像取得手段と、前記投票映像に基づいて前記投票画面に対して所定の入力動作が行われた否かを判定し、前記投票対象を特定する、投票対象特定手段と、前記投票対象と前記ユーザーとを関連付けて、投票券の発行に使用される投票データとして記憶する、投票データ記憶手段と、を備えたものである。
【０００８】
本開示にかかる公営競技投票方法は、投票を行うユーザーを画像情報に基づいて特定する投票ユーザー特定ステップと、前記ユーザーが投票対象を選択入力するための投票画面を投影面上に投影表示する、投影表示ステップと、前記投票画面を撮影した投票映像を取得する、投票映像取得ステップと、前記投票映像に基づいて、前記投票画面に対して所定の入力動作が行われた否かを判定し、前記投票対象を特定する、投票対象特定ステップと、前記投票対象と前記ユーザーとを関連付けて、投票券の発行に使用される投票データとして記憶する、投票データ記憶ステップと、を備えたものである。
【０００９】
本開示にかかる公営競技投票プログラムは、投票を行うユーザーを画像情報に基づいて特定する投票ユーザー特定ステップと、前記ユーザーが投票対象を選択入力するための投票画面を投影面上に投影表示する、投影表示ステップと、前記投票画面を撮影した投票映像を取得する、投票映像取得ステップと、前記投票映像に基づいて、前記投票画面に対して所定の入力動作が行われた否かを判定し、前記投票対象を特定する、投票対象特定ステップと、前記投票対象と前記ユーザーとを関連付けて、投票券の発行に使用される投票データとして記憶する、投票データ記憶ステップと、をコンピュータに対して実行させるものである。
【発明の効果】
【００１０】
本開示によれば、投影画面に対する動作に基づいて投票対象を特定し、当該投票対象とユーザーとを関連付けて記憶することが可能な公営競技投票システム、公営競技投票方法、及び公営競技投票プログラムを提供することが可能となる。
【図面の簡単な説明】
【００１１】
【図１】実施の形態１にかかる公営競技投票システム１００の構成例を示す概略図である。
【図２】実施の形態１にかかる公営競技投票システム１００の機能構成を示す構成図である。
【図３】券売機３００の機能構成を示す構成図である。
【図４】実施の形態２にかかる公営競技投票システム１００の概要を示す概略図である。
【図５】投票画面の表示例を示す概略図である。
【図６】実施の形態２において、投票画面の表示方法の概要を示す概略図である。
【図７】実施の形態２において、認証カード６に対する所定の操作の例を示す概要図である。
【図８】実施の形態２において画像表示／情報収集装置２００を複数組み合わせる方法を示す概要図である。
【図９】実施の形態２において認証機能付き画面プレート９を用いる方法を示す概要図である。
【図１０】実施の形態２において生体認証を用いてユーザー２を特定する例を示す概要図である。
【図１１】実施の形態２にかかる画像表示／情報収集装置２００および上位システム４００の動作を示すフローチャートである。
【図１２】実施の形態２にかかる券売機３００の動作を示すフローチャートである。
【図１３】公営競技投票システム１００のハードウェア構成例を示す構成図である。
【発明を実施するための形態】
【００１２】
＜実施の形態１＞
図１は、本実施の形態１にかかる公営競技投票システム１００の概要を示す概略構成図である。公営競技投票システム１００は、プロジェクタ１４００、カメラ１５００、サーバ１６００、及びネットワーク１３００を備える。
【００１３】
プロジェクタ１４００、カメラ１５００、およびサーバ１６００は、ネットワーク１３００に接続されている。ネットワーク１３００は、移動体通信網、インターネット、イントラネット、ＬＡＮ（Ｌｏｃａｌ  Ａｒｅａ  Ｎｅｔｗｏｒｋ）等の通信ネットワークである。プロジェクタ１４００およびカメラ１５００は、公営競技の投票場の壁、天井等に設置されている。
【００１４】
手順Ｐ１において、カメラ１５００は、投票を行うユーザーを特定するための画像を撮影する。カメラ１５００は、例えば、ユーザーが保有する認証カード６を撮影する。認証カード６の表面には、バーコード１９等の識別情報が印刷されている。公営競技投票システム１００は、撮影された画像に基づいて、ユーザーを特定することが可能となる。
【００１５】
手順Ｐ２において、プロジェクタ１４００は、ユーザーが投票対象を選択入力するための投票画面８を投影面上に投影表示する。投票画面８は、紙の投票用紙と同様のマークシート方式の画面であってもよい。
【００１６】
手順Ｐ３において、カメラ１５００は、投票画面８を撮影する。ユーザーは、投票対象を選択入力するため投票画面８上で専用ペン７に所定の動作をさせる。例えば、ユーザーは、投票対象を示すマーク上で専用ペン７を投票画面８に対して縦方向に動作させる。公営競技投票システム１００は、カメラ１５００の撮影映像に基づいて、投票画面８に対して上述した所定の動作が行われたか否かを判定し、ユーザーの投票対象を特定することが可能となる。
【００１７】
手順Ｐ１〜Ｐ３を行った後、サーバ１６００は、投票対象とユーザーとを関連付けて投票データとして記憶する。公営競技投票システム１００は、投票データに基づいて電子投票券を発行してもよい。公営競技投票システム１００は、投票データに基づいて、券売機から紙製投票券を発行してもよい。
【００１８】
図２は、本実施の形態１にかかる公営競技投票システム１００の機能構成を示す構成図である。公営競技投票システム１００は、投票ユーザー特定部１０１、投影表示部１０２、投票映像取得部１０３、投票対象特定部１０４、及び投票データ記憶部１０５を備える。各機能はサーバ１６００が備えてもよく、プロジェクタ１４００またはカメラ１５００が備えてもよい。
【００１９】
投票ユーザー特定部１０１は、投票を行うユーザーを画像情報に基づいて特定する。投票ユーザー特定部１０１は、例えば、ユーザーが保有する板状部材の表面に印刷された識別情報に基づいてユーザーを特定する。板状部材は、例えば、認証カード６である。識別情報は、例えば、バーコードである。識別情報は、所定の文字記号列であってもよい。また、投票ユーザー特定部１０１は、予め登録されたユーザーの生体認証情報に基づいてユーザーを特定してもよい。投票ユーザー特定部１０１は、例えば、投票を行うユーザーの顔画像を撮影し、登録された顔認証データと特徴が一致するか否かに基づいてユーザーを特定する。
【００２０】
投影表示部１０２は、ユーザーが投票対象を選択入力するための投票画面８を投影面上に投影表示する。投影表示部１０２は、プロジェクタ１４００を用いて構成される。投票画面８は、公営競技において用いられるマークカードと同様の表示を行う画面であってもよい。投票対象は、１つであっても複数であってもよい。投票画面８は、投票方式、投票金額等を入力可能であってもよい。また、投影表示部１０２は、ユーザーの入力動作に基づいて投影画面を更新してもよい。例えば、マークシート方式の投票画面８において、ユーザーが記入を行った箇所を黒く表示してもよい。
【００２１】
投票画面８を投影する投影面は、例えば、机、椅子、床面等である。投影表示部１０２は、認証カード６等の板状部材の位置に基づいて投票画面８を投影する表示位置を設定してもよい。例えば、投影表示部１０２は、認証カード６が設置された位置を起点として所定の距離だけ離れた位置に投票画面８を投影表示する。投影表示部１０２は、板状部材の上に投票画面８を表示してもよい。また、投影表示部１０２は、撮影されたユーザーの動作に基づいて投票画面８を投影表示する位置を設定してもよい。例えば、投影表示部１０２は、ユーザーが専用ペン７で投影面上に長方形を描く動作をした場合に、投票画面８の表示エリアを当該長方形に設定する。
【００２２】
投票映像取得部１０３は、投票画面８を撮影した投票映像を取得する。投票映像は、カメラ１５００によって撮影される。投票映像は、投票対象特定部１０４により使用される。
【００２３】
投票対象特定部１０４は、投票映像に基づいて、投票画面８に対して所定の入力動作が行われた否かを判定し、投票対象を特定する。所定の入力動作は、例えば、楕円形の入力エリアの長軸方向に沿って、ユーザーが専用ペン７を動かす動作である。投票対象特定部１０４は、例えば、専用ペン７の形状が備える特徴を用いて専用ペン７の先端部を検出し、当該先端部の動きを追跡することにより、入力動作が行われたか否かを判定する。なお、入力動作は、専用ペン７以外の他の入力判定物を用いて行われても良い。入力動作は、ユーザーの指を用いて行われてもよい。
【００２４】
投票データ記憶部１０５は、投票対象とユーザーとを関連付けて、投票券の発行に使用される投票データとして記憶する。投票券は、電子投票券であっても紙製投票券であってもよい。
【００２５】
公営競技投票システム１００は、券売機３００を備えてもよい。図３は、券売機３００の機能構成を示す構成図である。券売機３００は、購入ユーザー特定部３０１、購入データ取得部３０２および投票券発行部３０３を備える。購入ユーザー特定部３０１は、投票券の購入を行うユーザーを特定する。購入データ取得部３０２は、投票券の購入を行うユーザーの投票対象を、投票データに基づいて購入データとして取得する。投票券発行部３０３は、購入データに基づいて投票券を発行する。
【００２６】
本実施の形態では、公営競技投票システム１００は、投票画面を投影表示し、ユーザーの投票対象を特定する。また、公営競技投票システム１００は、画像情報に基づいてユーザーを特定する。したがって、本実施の形態によると、公営競技投票システム１００は、ユーザーと投票対象とを関連付けて記憶し、投票券の発行に使用することが可能となる。
【００２７】
＜実施の形態２＞
図４は、本実施の形態にかかる公営競技投票システム１００の構成例を示す概略図である。公営競技投票システム１００は、画像表示／情報収集装置２００Ａ、２００Ｂ、券売機３００Ａ、３００Ｂ、３００Ｃ、及び上位システム４００を備える。本実施形態にかかる公営競技投票システム１００を実現するための機能は、図２および図３に示した各機能と同様である。以下、実施の形態１と重複する説明は省略する。
【００２８】
画像表示／情報収集装置２００は、画像表示機能および情報収集機能を有する装置である。画像表示／情報収集装置２００は、画像表示機能を有する装置と、情報収集機能を有する装置とに分かれていてもよい。画像表示／情報収集装置２００は、図２に示す投票ユーザー特定部１０１、投影表示部１０２、投票映像取得部１０３、及び投票対象特定部１０４を備える。なお、機能の一部または全部は、上位システム４００が備えてもよい。画像表示機能は、投影表示部１０２に対応する。情報収集機能は、投票ユーザー特定部１０１、投票映像取得部１０３、および投票対象特定部１０４に対応する。
【００２９】
投影表示部１０２は、投票画面８を投影面上に投影表示する。投票画面８を投影する投影面は、投票場内の机、椅子、床面等である。このような画像投影技術は、屋外イベント等でプロジェクションマッピングとして使用されている。プロジェクションマッピングは、拡張現実（ＡＲ：Ａｕｇｍｅｎｔｅｄ  Ｒｅａｌｉｔｙ）に使用することが可能である。なお、投影表示部１０２の詳細な機能については後述する。
【００３０】
投票映像取得部１０３は、投票画面８に対するユーザー２の動作が映った投票映像を取得する。投票対象特定部１０４は、投票映像におけるユーザー２の動作に基づいて投票対象を特定する。ユーザー２Ａ、２Ｂ、２Ｃ、２Ｄは、投票画面８上で指を動かし、あるいは入力判定物を投票画面上で動かす。入力判定物は、例えば、専用ペン７である。
【００３１】
図５は、投影表示部１０２により投影表示される投票画面８の例を示す概略図である。投票画面には選択可能な複数の対象が記載されており、ユーザー２は、その中から投票対象を選択する。図５は、競走場およびレース名を選択する画面の例である。ユーザー２は、投票画面８の各マーク上で専用ペン７を投票画面８に対して縦方向に動作させることにより、当該マークに記入を行う。ユーザー２は、記入済みのマーク上で専用ペン７を横方向に動作させることにより、当該マークに対する記入を取り消すことが可能である。なお、記入動作のルールについては、上述した縦方向、横方向に限られず、任意の設定を行うことができる。また、投影表示部１０２は、選択入力された投票対象に関する表示を更新してもよい。図５では、選択されたＢ競馬場および第５レースを示すマークが黒で表示されている。
【００３２】
投票ユーザー特定部１０１は、ユーザー２Ａ、２Ｂ、２Ｃ、２Ｄを特定する。ユーザー２Ａ、２Ｂ、２Ｃ、２Ｄは、個人を特定することが可能な認証カード６Ａ、６Ｂ、６Ｃ、６Ｄを保有している。投票ユーザー特定部１０１は、認証カード６Ａ、６Ｂ、６Ｃ、６Ｄを撮影し、撮影された画像に基づいてユーザー２Ａ、２Ｂ、２Ｃ、２Ｄを特定する。投票ユーザー特定部１０１は、例えば、認証カード６に含まれるバーコード等の識別情報を読み取ることによってユーザー２を特定する。識別情報は、認証カード６に印刷された所定の文字記号列であってもよい。また、投票ユーザー特定部１０１は、ユーザー２を顔認証等の生体認証により特定してもよい。
【００３３】
上位システム４００は、ユーザーと投票対象とを関連付けて記憶する投票データ記憶部１０５を備える。上位システム４００は、ユーザーＩＤと投票対象とを関連づけて登録してもよい。
【００３４】
券売機３００は、投票券の購入を行うユーザー２Ａ、２Ｂ、２Ｃを特定する、購入ユーザー特定部３０１を備える。購入ユーザー特定部３０１は、カードリーダで認証カード６Ａ、６Ｂ、６Ｃを読み取り、ユーザー２Ａ、２Ｂ、２Ｃを特定する。カードリーダは、例えば、バーコード、ＱＲコード（登録商標）、文字記号を読み取ることによりユーザー２を特定する。カードリーダは、認証カード６に付されたＩＣタグを読み取るＩＣカードリーダであってもよい。また、購入ユーザー特定部３０１は、生体認証によってユーザー２を特定してもよい。例えば、購入ユーザー特定部３０１は、カメラでユーザー２の顔を撮影し、認証用の画像と比較し、顔認証によりユーザー２を特定してもよい。
【００３５】
券売機３００は、購入ユーザー特定部３０１により特定されたユーザー２の投票対象を投票データに基づいて購入データとして取得する、購入データ取得部３０２を備える。購入データ取得部３０２は、上位システム４００を参照し、特定されたユーザー２の投票対象を取得する。券売機３００は、上位システム４００に登録された投票対象を表示画面に表示する。
【００３６】
券売機３００は、購入データに基づいて投票券を発行する投票券発行部３０３を備える。ユーザー２が画面表示を確認した後、投票券発行部３０３は、現金または上位システム４００にプールされている電子マネーを用いて決済を行い、投票券を発行する。電子マネーは、認証カード６に登録されていてもよい。
【００３７】
図６は、投票画面８の表示方法の概要を示す概略図である。ユーザー２は、投票券の購入を検討する際に、机３、椅子４、床面５等の様々な場所で検討を行う。画像表示／情報収集装置２００は、投票場内の天井、壁面、机上等に、配置される。画像表示／情報収集装置２００の投影表示部１０２は、ユーザー２が投票を行うための投票画面８を投影表示する。また、画像表示／情報収集装置２００の投票映像取得部１０３は、投票画面８の映像を取得する。投票対象特定部１０４は、ユーザー２が保有する専用ペン７の動きを収集する。
【００３８】
ユーザー２は、個人を一意に特定し、かつ、投票画面８を投影する位置を設定するための認証カード６を所持している。また、ユーザー２は、専用ペン７を所持している。認証カード６および専用ペン７は、ユーザー２に予め配布されていてもよい。認証カード６には、ユーザー２を一意に特定可能な識別情報が記載されている。なお、識別情報は、券売機３００の購入ユーザー特定部３０１が、ユーザー２を特定する際にも使用される
【００３９】
本実施の形態では、投影表示部１０２は、ユーザー２による所定の動作を検出した場合に投票画面８の投影表示を開始する。ユーザー２は、投影表示部１０２が投票画面８を表示するための所定の動作を行う。ここで、ユーザー２は、投影表示部１０２が撮影画像から認識可能な位置に認証カード６を配置する。次に、ユーザー２は、認証カード６に対して専用ペン７あるいはユーザー２の指で表示開始を示す動作を行う。
【００４０】
図７は、投票画面８を表示するためのユーザー２による所定の動作の例を示す概略図である。認証カード６には、開始マーク１１と完了マーク１２が付されている。また、認証カード６には、ユーザー２を識別するために用いられるバーコード１９が付されている。投票画面８を表示させる際、ユーザー２は、開始マーク１１上で専用ペン７を縦方向に動作させる。投影表示部１０２は、上述した動作を検出する。投影表示部１０２は、検出結果に基づいて投票画面８を表示する。なお、ユーザー２は、投票動作が完了した際、完了マーク１２上で専用ペン７を縦方向に動作させ、入力の完了を画像表示／情報収集装置２００に通知してもよい。
【００４１】
投影表示部１０２は、投票画面８の表示エリアを設定する際に、様々な方法を使用することが可能である。例えば、投影表示部１０２は、認証カード６の位置を起点に所定のサイズの投票画面８を表示してもよい。投影表示部１０２は、ユーザー２の動作に基づいて投票画面８の表示位置を決定してもよく、例えばユーザー２が所定の動作を行った位置を起点として投票画面８を表示してもよい。
【００４２】
投影表示部１０２は、投票画面の焦点を自動調整する機能を有する。つまり、投影表示部１０２は、表示された投票画面の焦点を合わせるための焦点判定機能と焦点補正機能を有する。投影表示部１０２は、センサを備えており、投票画面８を表示する投影面までの距離に関する距離情報を収集してもよい。投影表示部１０２は、投票映像取得部１０３により撮影された投票画面８の画像から焦点距離に関する焦点情報を収集してもよい。投影表示部１０２は、距離情報または焦点情報に基づいて、投票画面８の焦点を自動調整する。なお、投影表示部１０２は、複数の投票画面８を投影表示してもよく、焦点の自動調整は投票画面８ごとに行われてもよい。
【００４３】
図８は、複数の画像表示／情報収集装置２００Ａ、２００Ｂ、２００Ｃを用いて、投票画面８Ａ、８Ｂを表示し、ユーザー２Ａ、２Ｂによる投票動作を検出する場合を示す概略図である。１台の画像表示／情報収集装置２００Ａの投影表示部１０２Ａで表示される投票画面８Ａは、ユーザー２Ａ、または周囲の物体の死角となり、一部もしくは全体が表示されない場合がある。本実施の形態では、公営競技投票システム１００は、他の位置に配置された画像表示／情報収集装置２００Ｂ、２００Ｃから得た情報をリアルタイムで組合せ、情報の補完を行うことが可能である。情報の補完は、例えば、上位システム４００が行ってもよい。
【００４４】
上述した例では、投影表示部１０２は、認証カード６とは異なる机３、椅子４、床面５等の投影面に投票画面８を表示した。しかし、投影表示部１０２は、ユーザー２を特定する板状の物体に投票画面８を投影表示してもよい。投票画面８の表示に用いられる板状の物体を、認証機能付き画面プレート９という。
【００４５】
図９は、認証機能付き画面プレート９Ａ、９Ｂに投票画面８を表示する例を示す概略図である。認証機能付き画面プレート９は、認証カード６と同様に認証機能を有する。認証機能付き画面プレート９Ａ、９Ｂには、認証に用いられるバーコード１９Ａ、１９Ｂが付されている。投票ユーザー特定部１０１は、認証機能付き画面プレート９を用いてユーザー２を特定する。投影表示部１０２は、認証機能付き画面プレート９に投票画面８を表示する。ユーザー２は、認証機能付き画面プレート９を机３上においてもよく、手で保持してもよい。
【００４６】
上述した例では、認証カード６を用いてユーザー２を特定し投票画面８を表示する場合について説明したが、公営競技投票システム１００は、生体認証を用いてユーザー２を特定してもよい。上位システム４００は、当該ユーザー２と投票対象とを関連付けて投票データとして登録する。なお、公営競技投票システム１００は、生体認証と認証カード６の両方を用いてもよい。
【００４７】
図１０は、生体認証を用いてユーザー２を特定する際、投票画面８の表示エリアを決定する方法の概要を示す概略図である。手順Ｐ１１において、投票ユーザー特定部１０１は、顔認証等の生体認証を用いてユーザー２を特定する。手順Ｐ１２において、ユーザー２は、事前にルールとして設定された動きに従って指あるいは専用ペン７を動作させる。投影表示部１０２は、当該動きにしたがって投票画面８を表示するエリアを決定する。例えば、ユーザー２が、専用ペン７を用いて長方形を描いた場合に、当該長方形のエリアに投票画面８を表示してもよい。つまり、投影表示部１０２は、ユーザー２が動作により指定した外枠の内部を投票画面８の表示エリアとする。手順Ｐ１３において、投影表示部１０２は、決定されたエリアに投票画面８を表示する。
【００４８】
なお、投影表示部１０２は、ユーザー２によって異なる投票画面８を表示してもよい。例えば、投影表示部１０２は、ユーザー２ごとに投票画面８の大きさを変更してもよく、ユーザー２ごとに投票画面８の内容を変えてもよい。本実施の形態では、認証カード６、生体情報等によりユーザー２を特定するため、ユーザー２ごとに投票画面８の種類を設定できるためである。例えば、初心者であるか否か、あるいは、個人の投票の傾向等に基づいて、投票画面８の種類を設定することが考えられる。
【００４９】
なお、投票画面８には、投票対象を入力する画面だけでなく、他の情報が表示されてもよい。例えば、投影表示部１０２は、投票対象を検討するための情報を投票画面８に表示してもよい。投票対象を検討するための情報とは、例えば、投票対象毎の過去の成績、過去に行われたレースの実況、オッズ、競馬場内のパドックに関する情報等である。
【００５０】
また、投影表示部１０２は、レースの状況を投票画面８に表示してもよい。さらに、投影表示部１０２は、ユーザー２が投票を行ったレースについて、当該レースが始まることを知らせる通知を投票画面８に表示してもよい。当該通知が行われている表示領域に対してユーザーが所定の動作を行うことにより、レースの状況が、投票画面８に表示される。この際、投影表示部１０２は、ユーザー２の投票対象に対して特別な表示を付してもよい。ユーザー２が投票した馬、ボート等にマークを付すことにより、ユーザーは、容易にレースにおける投票対象の状況を理解することが可能となる。
【００５１】
図１１は、本実施形態にかかる画像表示／情報収集装置２００および上位システム４００の動作を示すフローチャートである。ユーザー２に、予め認証カード６と専用ペン７とが事前に配布されている場合について説明する。
【００５２】
まず、投影面上に認証カード６が設置された場合、投票ユーザー特定部１０１は、識別情報を読み取りユーザー２を特定する（ステップＳ１０１）。次に、投影表示部１０２は、認証カード６が設置されたエリアの映像を収集し監視を行う（ステップＳ１０２）。投影表示部１０２は、認証カード６に対して、専用ペン７が所定の動作をしているか否かを判断する（ステップＳ１０３）。所定の動作を検出しなかった場合（ステップＳ１０３のＮｏ）、投影表示部１０２は、監視を継続する。
【００５３】
所定の動作を検出した場合（ステップＳ１０３のＹｅｓ）、投影表示部１０２は、投票画面８を投影表示する（ステップＳ１０４）。ここで、投影表示部１０２は、内蔵するセンサを用いて焦点を自動調整する。また、投影表示部１０２は、投票画面８を撮影した画像に基づいて焦点のずれを判定し、焦点を修正する。投影表示部１０２は、ユーザー２の操作による専用ペン７の動作に応じて、投票画面８の大きさ、種類を調整してもよい。投影表示部１０２は、ユーザー２の動作に応じて、過去に行われたレースに関する情報を表示してもよい。
【００５４】
所定の動作とは、上述したように認証カード６に記入された開始マーク１１の上で専用ペン７を投票画面８に対して縦方向に動作させるものである。なお、投票画面８や認証カード６上で専用ペン７を縦方向に動作させることを入力、横方向に動作させることを取り消し、として説明したが、操作を認識するルールはこれに限られるものではなく、任意に設定することが可能である。
【００５５】
なお、認証カード６を使用せず、生体認証でユーザー２を特定してもよい。このような場合、特定されたユーザーが専用ペン７、指等を用いて所定の動作を行うことにより、投影表示部１０２が、当該動作を認識し、投票画面８の表示を行う。
【００５６】
次に、投票対象特定部１０４は、ユーザー２による専用ペン７の動作に基づいて、投票対象を特定する（ステップＳ１０５）。投票対象は、例えば、競走馬を特定する番号を表す馬番である。投票対象特定部１０４は、競走場、レース名、式別、金額等を合わせて特定してもよい。ユーザー２が、専用ペン７を用いて認証カード６上の完了マーク１２上で所定の動作を行うことにより、投票対象が一時的に確定される。
【００５７】
最後に、上位システム４００の投票データ記憶部１０５は、投票対象をユーザー２と関連付けて記憶する。なお、図１１の“Ａ”は、図１２の“Ａ”に処理が移行することを示している。
【００５８】
図１２は、本実施の形態にかかる券売機３００の動作を示すフローチャートである。
まず、ユーザー２は、券売機３００が備えるカードリーダに、認証カード６をかざす。購入ユーザー特定部３０１は、認証カード６から識別情報を読み取り、ユーザーを特定する（ステップＳ２０１）。次に、購入データ取得部３０２は、上位システム４００を参照し、特定されたユーザー２の購入データをモニタに表示する（ステップＳ２０２）。次に、ユーザー２は、表示された購入データに問題がなければ、券売機３００が備える決定キーを押下する。投票券発行部３０３は、決定ボタンの押下を確認する（ステップＳ２０３）。ここで、券売機３００は、投票対象の修正を行う機能を備えていてもよい。このような場合、ユーザー２は、投票対象の修正を行った後、決定キーを押下する。
【００５９】
次に、投票券発行部３０３は、決定された購入データに基づいて購入処理を行う（ステップＳ２０４）。ここで、ユーザー２は、購入データに基づいて現金を券売機３００に投入してもよい。投票券発行部３０３は、ユーザーが認証カード６にプールした電子マネーを減算する処理を行ってもよい。最後に、投票券発行部３０３は、投票券を発行する（ステップＳ２０５）。なお、ユーザー２が、認証カード６を使用する場合について説明したが、認証機能付き画面プレート９を使用する場合にも、同様の処理を行うこととなる。
【００６０】
以下、本実施の形態の効果について説明する。
公営競技の投票券を購入する場合、ユーザーは、競技場、レース名、投票の種類、投票の内容、金額等の情報をマークカードに鉛筆等で記入する。そして、ユーザーは、マークカードのマークを塗りつぶした後、当該マークカードを券売機に投入し、投票券の購入を行う。マークカード用紙を使用する投票方法は、鉛筆等の筆記用具、紙資源等を大量に消費し環境に悪影響を与えるおそれがあった。また、投票場の広い範囲にマークカード、鉛筆等を用意しなければならないため、管理する人員のコストが問題となっていた。特に、ユーザーが必要以上のマークカードを保有する場合や、ユーザーが書き損じを行った場合等に、上述した環境、コストに対する影響は大きかった。
【００６１】
また、マークカード方式において、記入方法、マーク項目について事前に理解しておく必要があった。投票券の購入に慣れていないユーザーは、マークカードに記入を行うことが難しく、新規顧客の増加を妨げる要因の１つとなっていた。また、マークカードの記入に慣れているユーザーにとっても、記入ミスが発生する場合があった。
【００６２】
上述した問題への対策として、スマートフォンを活用した電子投票、投票用端末の貸し出しが提案されている。しかし、ユーザー全員がスマートフォンを所持しているわけではない。また、投票用端末の貸し出しについては、盗難、破損等が発生する場合があり、現実的な解決策とはなっていなかった。
【００６３】
本実施の形態にかかる公営競技投票方法は、マークカードを用いないことから、紙媒体、筆記具等の消耗品が不要となる。したがって、本実施の形態によると、マークカードの配布準備、記入方法説明のための人員にかかるコストが不要となる。本実施形態によれば、顧客に端末を配布する必要はない。
【００６４】
また、ユーザーは、投票場内のあらゆる場所で、机、椅子、床等の投影面を利用して投票画面を操作することが可能となる。ユーザーは、立った状態でも、椅子や床に座った状態でも投票画面を操作することが可能となる。したがって、本実施の形態によると、ユーザーにとって記入方法の自由度を大きくすることが可能となる。さらに、本実施の形態によると、ユーザーは、投票画面および操作方法を選択することが可能となる。
【００６５】
＜ハードウェアの構成例＞
次に、ハードウェアの構成例について述べる。
図１３は、公営競技投票システム１００を実現するためのハードウェアを例示する図である。公営競技投票システム１００を構成する計算機１０００は、バス１０２０、プロセッサ１０４０、メモリ１０６０、ストレージデバイス１０８０、及びネットワークインタフェース１１２０を有する。バス１０２０は、プロセッサ１０４０、メモリ１０６０、ストレージデバイス１０８０、及びネットワークインタフェース１１２０が、相互にデータを送受信するためのデータ伝送路である。ただし、プロセッサ１０４０などを互いに接続する方法は、バス接続に限定されない。プロセッサ１０４０は、CPU(Central Processing Unit)、GPU（Graphics Processing Unit）、又はFPGA（Field-Programmable Gate Array）などの種々のプロセッサである。メモリ１０６０は、RAM（Random Access Memory）などを用いて実現される主記憶装置である。ストレージデバイス１０８０は、ハードディスク、SSD（Solid State Drive）、メモリカード、又は ROM（Read Only Memory）などを用いて実現される補助記憶装置である。
【００６６】
ネットワークインタフェース１１２０は、計算機１０００をネットワーク１３００に接続するためのインタフェースである。このネットワークは、例えば LAN（Local Area Network）や WAN（Wide Area Network）である。ネットワークインタフェース１１２０がネットワークに接続する方法は、無線接続であってもよいし、有線接続であってもよい。ネットワーク１３００には、プロジェクタ１４００およびカメラ１５００が接続されている。
【００６７】
ストレージデバイス１０８０は、公営競技投票システム１００の各手段を実現するプログラムモジュールを記憶している。プロセッサ１０４０は、これら各プログラムモジュールをメモリ１０６０に読み出して実行することで、各プログラムモジュールに対応する機能を実現する。
【００６８】
上述の実施の形態における各種の処理は、ハードウェアでもソフトウェアでも実現できる。例えば、任意の処理を、ＣＰＵ（Central Processing Unit）にコンピュータプログラムを実行させることにより実現することも可能である。
【００６９】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７０】
なお、本発明は上記実施の形態に限られたものではなく、趣旨を逸脱しない範囲で適宜変更することが可能である。
【００７１】
上記の実施形態の一部又は全部は、以下の付記のようにも記載されうるが、以下には限られない。
【００７２】
（付記１）
投票を行うユーザーを画像情報に基づいて特定する投票ユーザー特定手段と、
前記ユーザーが投票対象を選択入力するための投票画面を投影面上に投影表示する、投影表示手段と、
前記投票画面を撮影した投票映像を取得する、投票映像取得手段と、
前記投票映像に基づいて前記投票画面に対して所定の入力動作が行われた否かを判定し、前記投票対象を特定する、投票対象特定手段と、
前記投票対象と前記ユーザーとを関連付けて、投票券の発行に使用される投票データとして記憶する、投票データ記憶手段と、を備えた公営競技投票システム。
【００７３】
（付記２）
投票券の購入を行う前記ユーザーを特定する購入ユーザー特定手段と、
前記購入ユーザー特定手段によって特定された前記ユーザーの前記投票対象を、前記投票データに基づいて購入データとして取得する、購入データ取得手段と、
前記購入データに基づいて前記投票券を発行する、投票券発行手段と、をさらに備えた付記１に記載の公営競技投票システム。
【００７４】
（付記３）
前記投票ユーザー特定手段は、前記ユーザーが保有する板状部材の表面に印刷された識別情報に基づいて前記ユーザーを特定し、
前記投影表示手段は、前記板状部材の位置に基づいて前記投票画面を投影表示する位置を設定する、付記１または２のいずれかに記載の公営競技投票システム。
【００７５】
（付記４）
前記板状部材は前記ユーザーを認証する認証カードである、付記３に記載の公営競技投票システム。
【００７６】
（付記５）
前記投影表示手段は、前記板状部材に前記投票画面を投影表示する、付記３に記載の公営競技投票システム。
【００７７】
（付記６）
前記投票ユーザー特定手段は、予め登録された前記ユーザーの生体認証情報に基づいて前記ユーザーを特定し、
前記投影表示手段は、撮影された前記ユーザーの動作に基づいて、前記投票画面を投影表示する位置を設定する、付記１または２のいずれかに記載の公営競技投票システム。
【００７８】
（付記７）
前記投影表示手段は、複数のプロジェクタを用いて前記投票画面を投影表示し、
前記投票映像取得手段は、複数のカメラを用いて撮影された前記投票画面に基づいて前記投票映像を取得する、付記１から６のいずれか１項に記載の公営競技投票システム。
【００７９】
（付記８）
前記投影表示手段は、センサを用いて取得された前記投影面までの距離、又は前記投票画面を撮影した撮影画像に基づいて、前記投票画面の焦点を調整する、付記１から７のいずれか１項に記載の公営競技投票システム。
【００８０】
（付記９）
前記投影表示手段は、前記投票ユーザー特定手段が特定した前記ユーザーに基づいて、前記投票画面の大きさ、または内容を設定する、付記１から８のいずれか１項に記載の公営競技投票システム。
【００８１】
（付記１０）
前記投影表示手段は、前記ユーザーが前記投票対象に関する検討を行うための情報を前記投票画面に投影表示する、付記１から９のいずれか１項に記載の公営競技投票システム。
【００８２】
（付記１１）
前記投影表示手段は、前記投票対象が出場する公営競技の開始を通知するための通知画像を前記投票画面上に投影表示し、
前記通知画像に対する前記ユーザーの動作に基づいて前記公営競技に関する競技映像を表示し、さらに、前記競技映像における前記投票対象の位置を示す情報を表示する、付記１０に記載の公営競技投票システム。
【００８３】
（付記１２）
前記投票データに基づいて、前記ユーザーと関連付けられる電子マネーを減算する処理を行う電子投票券発行手段をさらに備える、付記１から１１のいずれか１項に記載の公営競技投票システム。
【００８４】
（付記１３）
投票を行うユーザーを画像情報に基づいて特定する投票ユーザー特定ステップと、
前記ユーザーが投票対象を選択入力するための投票画面を投影面上に投影表示する、投影表示ステップと、
前記投票画面を撮影した投票映像を取得する、投票映像取得ステップと、
前記投票映像に基づいて、前記投票画面に対して所定の入力動作が行われた否かを判定し、前記投票対象を特定する、投票対象特定ステップと、
前記投票対象と前記ユーザーとを関連付けて、投票券の発行に使用される投票データとして記憶する、投票データ記憶ステップと、を備えた公営競技投票方法。
【００８５】
（付記１４）
投票券の購入を行う前記ユーザーを特定する購入ユーザー特定ステップと、
前記購入ユーザー特定ステップによって特定された前記ユーザーの前記投票対象を、前記投票データに基づいて購入データとして取得する、購入データ取得ステップと、
前記購入データに基づいて前記投票券を発行する、投票券発行ステップと、をさらに備えた付記１３に記載の公営競技投票方法。
【００８６】
（付記１５）
前記投票ユーザー特定ステップにおいて、前記ユーザーが保有する板状部材の表面に印刷された識別情報に基づいて前記ユーザーを特定し、
前記投影表示ステップにおいて、前記板状部材の位置に基づいて前記投票画面を投影表示する位置を設定する、付記１３または１４のいずれかに記載の公営競技投票方法。
【００８７】
（付記１６）
前記投票ユーザー特定ステップにおいて、予め登録された前記ユーザーの生体認証情報に基づいて前記ユーザーを特定し、
前記投影表示ステップにおいて、撮影された前記ユーザーの動作に基づいて、前記投票画面を投影表示する位置を設定する、付記１３または１４のいずれかに記載の公営競技投票方法。
【００８８】
（付記１７）
投票を行うユーザーを画像情報に基づいて特定する投票ユーザー特定ステップと、
前記ユーザーが投票対象を選択入力するための投票画面を投影面上に投影表示する、投影表示ステップと、
前記投票画面を撮影した投票映像を取得する、投票映像取得ステップと、
前記投票映像に基づいて、前記投票画面に対して所定の入力動作が行われた否かを判定し、前記投票対象を特定する、投票対象特定ステップと、
前記投票対象と前記ユーザーとを関連付けて、投票券の発行に使用される投票データとして記憶する、投票データ記憶ステップと、をコンピュータに対して実行させる公営競技投票プログラム。
【符号の説明】
【００８９】
２、２Ａ、２Ｂ、２Ｃ、２Ｄ  ユーザー
３  机
４  椅子
５  床面
６、６Ａ、６Ｂ、６Ｃ、６Ｄ  認証カード
７  専用ペン
８、８Ａ、８Ｂ、８Ｃ、８Ｄ  投票画面
９、９Ａ、９Ｂ  認証機能付き画面プレート
１１  開始マーク
１２  完了マーク
１９、１９Ａ、１９Ｂ  バーコード
１００  公営競技投票システム
１０１  投票ユーザー特定部
１０２、１０２Ａ  投影表示部
１０３  投票映像取得部
１０４  投票対象特定部
１０５  投票データ記憶部
２００、２００Ａ、２００Ｂ、２００Ｃ  画像表示／情報収集装置
３００、３００Ａ、３００Ｂ、３００Ｃ  券売機
３０１  購入ユーザー特定部
３０２  購入データ取得部
３０３  投票券発行部
４００  上位システム
１３００  ネットワーク
１４００  プロジェクタ
１５００  カメラ
１６００  サーバ
【図１】
0006930795.tif 000002
【図２】
0006930795.tif 000003
【図３】
0006930795.tif 000004
【図４】
0006930795.tif 000005
【図５】
0006930795.tif 000006
【図６】
0006930795.tif 000007
【図７】
0006930795.tif 000008
【図８】
0006930795.tif 000009
【図９】
0006930795.tif 000010
【図１０】
0006930795.tif 000011
【図１１】
0006930795.tif 000012
【図１２】
0006930795.tif 000013
【図１３】
0006930795.tif 000014